(57)【要約】【課題】障子を開ける際に、障子が壁面に衝突するのを防止できる折戸を提供する。【解決手段】本発明にかかる折戸１は、互いに回動自在に連結した戸先側障子１７と戸尻側障子１９とを有し、戸尻側障子１９は、閉じた状態で戸先側障子１７に向けて突出する突条４９を有する縦中框２５と、縦中框２５の突条４９を挟持して係合固定したストッパ４７とを有し、ストッパ４７は、開いた戸尻側障子１９と対向する壁面７ａに当接自在である。【選択図】図２
2019060170.tif 000002
【特許請求の範囲】
【請求項１】
互いに回動自在に連結した戸先側障子と戸尻側障子とを有し、戸尻側障子は、閉じた状態で戸先側障子に向けて突出する突条を有する縦中框と、縦中框の突条を挟持して係合固定したストッパとを有し、ストッパは、開いた戸尻側障子と対向する壁面に当接自在であることを特徴とする折戸。
【発明の詳細な説明】
【技術分野】
【０００１】
本発明は、折戸に関する。  
【背景技術】
【０００２】
一般に、折戸を壁面近くに設ける場合がある。
【発明の概要】
【発明が解決しようとする課題】
【０００３】
しかし、折戸を壁面近くに設けた場合、折戸を開ける際に、障子が壁面に衝突することがあった為、障子が壁面に衝突しないようにすることが求められていた。
【０００４】
そこで、本発明は、折戸を開ける際に、障子が壁面に衝突するのを防止できる折戸の提供を目的とする。
【課題を解決するための手段】
【０００５】
請求項１に記載の発明は、互いに回動自在に連結した戸先側障子と戸尻側障子とを有し、戸尻側障子は、閉じた状態で戸先側障子に向けて突出する突条を有する縦中框と、縦中框の突条を挟持して係合固定したストッパとを有し、ストッパは、開いた戸尻側障子と対向する壁面に当接自在であることを特徴とする折戸である。  
【発明の効果】
【０００６】
請求項１に記載の発明によれば、折戸を開けたときに、戸尻側障子の縦中框が壁面に近づくように回動するが、縦中框の突条に設けたストッパが壁面に当接することで、障子が壁面に衝突するのを防止できる。
【図面の簡単な説明】
【０００７】
【図１】本発明の実施の形態にかかる折戸の横断面図であって、障子を開けた状態を示す図である。
【図２】本発明の実施の形態にかかる折戸の横断面図であって、図１に示す状態から更に障子ストッパが押し潰れて折戸の開口を大きくした状態を示す図である。
【図３】図５に示すＡ−Ａ断面図である。
【図４】図５に示すＢ−Ｂ断面図である。
【図５】本発明の実施の形態にかかる折戸の閉じ状態を脱衣室側から見た正面図である。
【図６】本発明の実施の形態にかかる折戸の閉じ状態を浴室側から見た正面図である。
【図７】本発明の実施の形態にかかる折戸を浴室側から見た分解斜視である。
【図８】障子ストッパの図であり、（ａ）は正面図、（ｂ）は側面図である。
【図９】図７に示す壁面ストッパと縦中框上キャップを縦中框に組み付ける前の状態を浴室側から見た斜視図である。
【図１０】図９に示す縦中框上キャップを脱衣室側から見た斜視図である。
【発明を実施するための形態】
【０００８】
以下に、添付図面を参照して本発明の実施の形態について説明するが、まず、図１〜図１０を参照して本発明の第１実施の形態について説明する。  
図１に示すように、第１実施の形態にかかる折戸１は、浴室と脱衣室との間の開口部に設けた枠３に設けてあり、戸先側障子（一方の障子）１７と、戸尻側障子（他方の障子）１９とを備えている。  
図３及び図４に示すように、枠３は上枠９と下枠１１と戸尻縦枠（右縦枠）１３ａ、戸先縦枠（左縦枠）１３ｂとを枠組みしてあり、上枠９と下枠１１とにそれぞれ障子の移動を案内するレール１５が設けてある。  
【０００９】
図１及び図３に示すように、折戸１は、戸先側障子１７と戸尻側障子１９とそれら障子の間に設けた中央框２１で回動自在に連結してある。  
図７に示すように、戸先側障子１７は、パネル２０の四周に戸当框２３と、縦中框２５と、上桟２７と、下桟２９とを組み付けてあり、戸尻側障子１９は、パネル２０の四周に吊元框２４と、縦中框２５と、上桟２７と、下桟２９とを組み付けてある。  
戸先側障子１７の戸当框２３には、上端にピボットヒンジ３１が取付けてあり、下端には戸車３２が取付けてある。戸尻側障子１９の吊元框２４には、上端と下端にそれぞれピボットヒンジ３１が取付けてある。  
戸先側障子１７の縦中框２５には、その上端に縦中框上キャップ４０が、下端に縦中框下キャップ４２ａが取付けてある。更に、戸先側障子１７の縦中框２５の上部には、ロック装置３３が設けてある。  
ロック装置３３は、ロック部材３９と、連結材３７と、操作摘み３５ａと、操作板３５ｂを有している。ロック部材３９は縦中框上キャップ４０に挿通して上方に突出していると共に上下動自在に保持されている。連結材３７は、ロック部材３９の下端に連結されていると共に操作摘み３５ａと操作板３５ｂとに連結されている。操作摘み３５ａは縦中框２５の浴室側見付面に上下方向にスライド自在に設けてあり且つ連結材３７を介して操作板３５ｂに連結されている。操作板３５ｂは、縦中框２５の脱衣室側見付面に上下方向にスライド自在に設けてある。このロック装置３３では、操作摘み３５ａの上下操作に連動してロック部材３９を上下動させて、上枠９に係脱する。尚、操作板３５ｂは操作摘み３５ａに連動して上下動する。  
戸尻側障子１９の縦中框２５には、その上端に縦中框上キャップ４１が、下端に縦中框下キャップ４２ｂが取付けてある。また、中央框２１の上端には中央框上キャップ４４ａが下端には中央框下キャップ４４ｂが取付けてある。  
図３及び図７に示すように、戸先側障子１７及び戸尻側障子１９の各縦中框２５には、その脱衣室側に引手４６が一体に形成されている。  
【００１０】
図３及び図５に示すように、戸先側障子１７の縦中框２５には、脱衣室側見付面の上部に障子ストッパ（ストッパ）４５が取付けてある。図８に示すように、障子ストッパ４５は、半球形状を成しており、弾性変形及び弾性復帰可能な弾性材でできており、例えばシリコンゴム製である。この障子ストッパ４５は、底面４５ａに両面テープが貼られており、両面テープにより戸先側障子１７の縦中框２５に貼着されている。図１に示すように、障子ストッパ４５は、折戸１を開けたときに戸尻側障子１９の縦中框２５に当接して潰れた後弾性復帰して、戸先側障子１７と戸尻側障子との間に角度θを形成するものである。
【００１１】
図１及び図３に示すように、浴室において、枠３の戸尻縦枠１３ａには、浴室側に張り出した一方の浴室壁面７ａが近接して設けてあり、戸先縦枠１３ｂには枠３に並列に他方の浴室壁面７ｂが設けてある。尚、図１に示すように、戸尻縦枠１３ａ側には、戸尻側障子１９の吊元框２４が回動自在に設けてある。  
【００１２】
図３及び図７に示すように、戸尻側障子１９の縦中框２５には、閉じた状態で戸先側障子１７に向けて突設する浴室側突条４９と、脱衣室側突条５１が設けてあり、戸先側障子１７の縦中框２５も、閉じた状態で戸尻側障子１９に向けて突設する浴室側突条４９と、脱衣室側突条５１が設けてある。  
戸先側障子１７と戸尻側障子１９の各縦中框２５には、その浴室側突条４９に壁面ストッパ４７が取付けてある。壁面ストッパ４７は、縦中框２５の上端部において、浴室側突条４９を挟持して係合固定してある。  
脱衣室側突条５１は、パッキン５３を介して中央框２１に回動自在に連結されている。
【００１３】
図３に示すように、各壁面ストッパ４７は縦中框２５の浴室側見付面から突出寸法Ｔで突設してあり、突出寸法Ｔは約１５ｍｍである。  
図２に示すように、戸尻側障子１９の壁面ストッパ４７は、折戸１を開いたときに、戸尻側障子１９が対向する一方の浴室壁面７ａに当接自在にするものである。  
【００１４】
ここで、壁面ストッパ４７及びその係合固定について詳しく説明する。尚、図３及び図７に示すように、壁面ストッパ４７は、戸先側障子１７の各縦中框２５と戸尻側障子１９の各縦中框２５とに設けてあるが、いずれも同じ構成で且つ同じ係合固定としてあるので、以下の説明では戸尻側障子１９の縦中框２５に設けた壁面ストッパ４７についてのみ説明する。  
図９に示すように、縦中框２５の浴室側突条４９には、壁面ストッパ４７を取付ける位置に水平方向の切除部５２が形成されている。切除部５２により分離された上側を壁面ストッパ４７に挟持される被挟持部４９ａとしており、切除部５２の下縁５２ａが壁面ストッパ４７の下面を受けている。  
壁面ストッパ４７は縦中框２５の浴室側見付面から突設するストッパ本体４７ａと、取付部４７ｂとを有している。取付部４７ｂには、浴室側突条４９の被挟持部４９ａを嵌め入れて挟持する挟持溝部５５を有し、挟持溝部５５から脱衣室側にずれた位置には上方に開口した係合孔部５７が形成されており、挟持溝部５５と係合孔部５７とは連続して形成されている。  
一方、図９及び図１０に示すように、キャップ４１には、縦中框２５の上端に上から嵌合する嵌合部４１ａと、嵌合部４１ａから中央框２１側に突設した押え部４１ｂと、押え部４１ｂの先端部から下方に突設した係合片４１ｃとが形成されている。  
図９に示すように、壁面ストッパ４７の係合固定は、矢印Ｅ１で示すように、浴室側突条４９の被挟持部４９ａに壁面ストッパ４７の挟持溝部５５を横から嵌め入れて、壁面ストッパ４７の取付部４７ｂが被挟持部４９ａを挟持すると共に切除部５２の下縁５２ａに取付部４７の下面を載置する。  
次に、矢印Ｅ２で示すように、縦中框２５の上端に縦中框上キャップ４１の嵌合部４１ａを上から嵌合すると、同時に縦中框上キャップ４１に設けてある係合片４１ｃが壁面ストッパ４７の係合孔部５７に上から挿入して係合し、壁面ストッパ４７の取付部４７ｂを押え部４１ｂで上から押える。壁面ストッパ４７は、浴室側突条４９の被挟持部４９ａに横から嵌め入れて挟持すると共に切除部５２の下縁５２ａに載置して保持している。更に、壁面ストッパ４７では係合孔部５７に係合片４１ｃを上から挿入して押え部４１ｂで押えることで、被挟持部４９ａの先端側から水平方向に抜けるのと、上方に抜けるのが阻止されている。  
【００１５】
次に、折戸１の施工について説明する。  
本実施の形態では、開き勝手を右側にするか左側にするかを施工現場で決めて取付ける。したがって、図１及び図３に示すように、いずれの開き勝手でも使用できるように、壁面ストッパ４７は、戸先側障子１７の縦中框２５と戸尻側障子１９の縦中框２５とに設けてある。  
そして、図１に示すように、脱衣室側から見て左側を開く開き勝手の場合には、図７に示すようの戸先側障子１７の戸当框２３の下端に戸車３２を取付け、戸当框２３の上端に取付けるピボットヒンジ３１を上枠９のレール１５を走行するように設定する。一方、戸尻側障子１９では、吊元框２４の上端及び下端に各々ピボットヒンジ３１を取付けて、上端のピボットヒンジ３１を上枠９のレール１５に係止するように設定する。  
尚、脱衣室側から見て右側を開く開き勝手の場合には、図７に示す戸先側障子１７の戸当框２３の下端にピボットヒンジ３１を取付け、戸当框２３の上端に取付けるピボットヒンジ３１を上枠９のレール１５に係止するように設定する。一方、戸尻側障子１９では、吊元框２４の下端に戸車３２を取付けて、上端のピボットヒンジ３１を上枠９のレール１５を走行するように設定する。  
【００１６】
次に、折戸１の開閉操作について説明する。  
まず、図３に示すように折戸１を閉じている状態から開く操作について説明する。  
脱衣室側から開く場合には、戸尻側障子１９又は戸先側障子１７の縦中框２５を浴室側へ押し、戸先縦枠１３ｂから戸先側障子１７の戸当框２３をスライドさせて離し、次に戸先側障子１７を戸尻側へ移動させる。これにより、中央框２１が浴室側に突き出て、図１に示す状態になるまで折戸１を開くと、戸先側障子１７の縦中框２５に取付けた障子ストッパ４５が戸尻側障子１９の縦中框２５に当接して潰れた後弾性復帰して、所定の折り角度θが保持される。  
浴室側から開く場合には、図３に示す中央框２１の取手２１ａを浴室側に引いてそのまま引き続けるか又は中央框２１を少し引いた後に戸先側障子１７を戸尻側へ押す。そして、図１に示す状態になるまで折戸１を開いて、戸先側障子１７と戸尻側障子１９との折り角度θが所定の角度になると、戸先側障子１７の縦中框２５に取付けた障子ストッパ４５が戸尻側障子１９の縦中框２５に当接して潰れた後弾性復帰して、所定の折り角度θが保持される。  
【００１７】
更に、図１で示す状態よりも、出入りがし易いようにするために有効開口寸法を大きくしたい場合には、浴室側からの操作では、戸先側障子１７を戸尻側障子１９側へ押す。そうすると、図２に示すように、障子ストッパ４５が弾性変形して潰れて、折り角度θが小さくなるように戸先側障子１７が戸尻側障子１９側に移動する。これにより折戸の有効開口寸法が大きくできる。  
尚、脱衣室側から出入りがし易いようにするために有効開口寸法を大きくしたい場合には、戸先側障子１７を戸尻側障子１９側へ押す。  
このように、有効開口寸法を大きくすると、戸尻側障子１９が吊元框２４を中心に回動して、戸尻縦中框２５が一方の浴室壁面７ａに近づき、戸尻側障子１９の縦中框２５に設けてある壁面ストッパ４７は一方の浴室壁面７ａに当接する。  
一方、戸先側障子１７又は戸当框２３から押している手を離すと、潰れた状態になっている障子ストッパ４５が弾性復帰して、戸先側障子１７の戸当框２３が戸先縦枠１３ｂ側にスライドし、折戸１は図１に示す折り角度θの状態に戻る。同時に、壁面ストッパ４７は一方の浴室壁面７ａから離れる。  
【００１８】
次に、図１に示すように、折戸１が開いた状態から閉じる操作について説明する。  
浴室側から閉じるときには、符号Ｆで示すように、中央框２１の取手２１ａを脱衣室側へ押す。これにより、浴室側に向けて傾斜している戸先側障子１７及び戸尻側障子１９にはそれぞれ分力ｆが作用し、戸先側障子１７の戸当框２３には分力ｆの水平成分ｆｘが作用して、戸当框２３は戸先縦枠１３ｂ側へスライドする。一方、戸尻側障子１９に作用する分力ｆには、吊元框２４に水平成分−ｆｘが作用するが、吊元框２４は回動軸であるから動かないので、反力となって戸当框２３に水平成分にｆｘが作用する。したがって、戸当框２３は所定の力で戸先縦枠１３ｂ側へスライドする。  
このように戸当框２３が戸先縦枠１３ｂ側へスライドすることで、図１に示す開き状態にある折戸１が図３に示すように閉じ状態になる。  
一方、脱衣室側から折戸１を閉じる場合には、図１に示す障子の開き状態において、戸当框２３と吊元框２４との間の空間Ｓに手を入れて、戸先側障子の戸当框２３に手をかけて戸当框２３を戸先縦枠１３ｂ側に押し又は引いて、閉じ切り時には戸先側障子１７又は戸尻側障子１９の縦中框２５にある引手４６を脱衣室側に引いて閉じる。  
【００１９】
次に、本実施の形態にかかる折戸１の作用効果について説明する。  
図１に示すように、折戸１を開いたときには、戸先側障子（一方の障子）１７の縦中框２５に設けた障子ストッパ４５が戸尻側障子（他方の障子）１９の縦中框２５に当接して戸先側障子１７と戸尻側障子１９とが折り角度θを形成した状態になるから、浴室側から閉じるときには、中央框２１を介して縦中框２５を押すことで、折戸１に折り角度θを広げる方向の力が作用して、折戸１を容易に閉じることができる。  
また、脱衣室側から閉じるときには、戸当框２３と吊元框２４との間の空間Ｓから戸当框２３を操作することで、折戸１を容易に閉じることができる。  
【００２０】
図２に示すように、障子ストッパ４５は、弾性変形により潰れることが可能であるから、障子ストッパ４５を潰して戸の有効開口寸法を大きくすることで、出入りを容易にできる。また、潰れた障子ストッパ４５は、弾性復帰することで、図１に示すように折戸１が所定の折り角度θに戻るから折戸１が必要以上に閉じないので、開閉操作性が良い。  
障子ストッパ４５は、縦中框２５の任意の位置に着脱自在であるから、戸先側障子１７と戸尻側障子１９との連結部（中央框２１）の近くに配置することで、折戸１を開けたときの折り角度θを大きくしたり、連結部（中央框２１）から離れた位置に配置することで折り角度θを小さくできるので、ユーザーの好みに合わせて、折戸１の開き状態を選択することができる。  
【００２１】
図３に示すように、戸尻側障子１９には閉じた状態でその浴室側に戸先側障子１７に向けて突出する浴室側突条４９を有する縦中框２５と、縦中框２５の浴室側突条４９を挟持して係合固定した壁面ストッパ４７とを有する構成であるから、図２に示すように、折戸１を開けたときに、壁面ストッパ４７が一方の浴室壁面７ａに当接することで、折戸１が一方の浴室壁面７ａに衝突するのを防止できる。  
壁面ストッパ４７は、戸尻側障子１９の浴室側見付面から所定長さＴ（図３参照）で飛び出した形状なので、浴室側から折戸１を開ける際、一方の浴室壁面７ａを傷つけることを防止できると共に一方の浴室壁面７ａと折戸１の間の隙間を確保できるから指挟みを防止できる。  
【００２２】
図９に示すように、縦中框２５の上端部の縦中框上キャップ４１で壁面ストッパ４７を抜け止めしてあるから、ねじ等の固定部品を使わずに壁面ストッパ４７を固定でき、コストを低減できると共に組立性が良い。  
壁面ストッパ４７は、戸先側障子１７の縦中框２５と戸尻側障子１９の縦中框２５とにそれぞれ設けてあるから、折戸１の開き勝手が右側の場合でも左側の場合でも、いずれの開き勝手でも機能させることができる。  
【００２３】
本発明は、上述した実施の形態に限定されるものではなく、その要旨を逸脱しない範囲で種々変形可能である。  
例えば、図２に示すように、壁面ストッパ（ストッパ）４７は、戸尻側障子１９と戸先側障子１７との両方の障子に設けたが、戸尻側障子１９のみに設けても良い。  
また、壁面ストッパ４７は、硬質樹脂材、軟質樹脂材又はスプリングであっても良く、材質は制限されない。  
図７に示すように、壁面ストッパ４７は、縦中框２５において浴室側突条（突条）４９の上端部に設けたがこれに限らず、上下方向中間部や下端部に設けても良く、上下方向の取付け位置は制限されない。  
折戸１は、浴室に設けた折戸に限らず、室内の間仕切りやクローゼット等に設ける折戸であって良く、折戸１が用いられる場所や用途は制限されない。  
【符号の説明】
【００２４】
１    折戸
７ａ  一方の浴室壁面（壁面）
１７  戸先側障子
１９  戸尻側障子
２５  縦中框
４７  壁面ストッパ（ストッパ）
４９  浴室側突条（突条）
【図１】
2019060170.tif 000003
【図２】
2019060170.tif 000004
【図３】
2019060170.tif 000005
【図４】
2019060170.tif 000006
【図５】
2019060170.tif 000007
【図６】
2019060170.tif 000008
【図７】
2019060170.tif 000009
【図８】
2019060170.tif 000010
【図９】
2019060170.tif 000011
【図１０】
2019060170.tif 000012